(57)【要約】【課題】高い利用効率で光源をなす発光体からの光を利用することができる面光源装置を提供する。【解決手段】面光源装置２０は、光拡散要素４０を設けられた導光板３０と、導光板の側方に配置された発光体２５と、導光板に対面して配置された熱可塑性樹脂を押し出し加工してなる第１レンズシート５０と、第１レンズシートに対面して配置された熱可塑性樹脂を押し出し加工してなる第２レンズシート６０と、を有する。各レンズシートは、本体部５１，６１と、本体部上に並列配置された単位レンズ５５，６５と、含む。単位レンズは、断面において曲線によって画成される外輪郭を有する。【選択図】図１
2012169130.tif 000002
【特許請求の範囲】
【請求項１】
出光面および前記出光面に対向する裏面を有した導光板と、
前記導光板の側方に配置された発光体と、
前記導光板の前記出光面に対面して配置された熱可塑性樹脂を押し出し加工してなる第１レンズシートであって、シート状の第１本体部と、前記第１本体部の前記導光板に対面しない側の面上に並べて配列された線状の複数の第１単位レンズと、を有する第１レンズシートと、
前記第１レンズシートの前記導光板に対面しない側の面に対面して配置された熱可塑性樹脂を押し出し加工してなる第２レンズシートであって、シート状の第２本体部と、前記第２本体部の前記導光板に対面しない側の面上に並べて配列された線状の複数の第２単位レンズと、を有する第２レンズシートと、を備え、
前記導光板の前記裏面には、光拡散機能を有する光拡散要素が設けられており、
前記第２レンズシートの法線方向から観察した場合に、前記第１単位レンズの配列方向と前記第２単位レンズの配列方向とは交差しており、
前記第１レンズシートの法線方向と第１単位レンズの配列方向との両方に平行な前記第１レンズシートの断面において、前記第１単位レンズの外輪郭は曲線によって画成されており、前記第２レンズシートの法線方向と第２単位レンズの配列方向との両方に平行な前記第１レンズシートの断面において、前記第２単位レンズの外輪郭は曲線によって画成されている、面光源装置。
【請求項２】
前記第１レンズシートは、前記導光板に直接対面する位置に配置され、
前記第２レンズシートは、前記第１レンズシートに直接対面する位置に配置されている、請求項１に記載の面光源装置。
【請求項３】
前記導光板の裏面には、前記光拡散要素がパターンを形成して設けられている、請求項１または２に記載の面光源装置。
【請求項４】
前記導光板は、前記出光面と前記裏面との間を延びる側面を有し、
前記側面の一部が前記発光体からの光を受ける少なくとも一つの入光面として機能し、
前記第２レンズシートの法線方向から観察した場合、前記導光板の一つの入光面と、前記導光板の前記側面のうちの前記一つの入光面に対向する反対面と、を結ぶ方向は、前記第１単位レンズの配列方向と平行であり、前記第２単位レンズの配列方向と直交している、請求項１〜３のいずれか一項に記載の面光源装置。
【請求項５】
前記導光板は、前記出光面と前記裏面との間を延びる側面を有し、
前記側面の一部が前記発光体からの光を受ける少なくとも一つの入光面として機能し、
前記第２レンズシートの法線方向から観察した場合、前記導光板の一つの入光面と、前記導光板の前記側面のうちの前記一つの入光面に対向する反対面と、を結ぶ方向は、前記第１単位レンズの配列方向と直交し、前記第２単位レンズの配列方向と平行である、請求項１〜３のいずれか一項に記載の面光源装置。
【請求項６】
前記第２レンズシートの前記第１レンズシートに対面しない側の面に対面して配置された反射型偏光分離シートをさらに備える、請求項１〜５のいずれか一項に記載の面光源装置。
【請求項７】
前記反射型偏光分離シートは、前記第２レンズシートに直接対面する位置に配置され、面光源装置の発光面を構成する、請求項６に記載の面光源装置。
【請求項８】
前記第２レンズシートの前記第１レンズシートに対面しない側の面に対面して配置された、マイクロレンズを有するマイクロレンズシートまたは光拡散機能を有した光拡散シートをさらに備える、請求項１〜５のいずれか一項に記載の面光源装置。
【請求項９】
前記マイクロレンズシートまたは前記光拡散シートは、前記第２レンズシートに直接対面する位置に配置され、面光源装置の発光面を構成する、請求項８に記載の面光源装置。
【請求項１０】
請求項１〜９のいずれか一項に記載の面光源装置を備える表示装置。
【請求項１１】
前記面光源装置に対面する位置に配置され、一対の偏光板を有する液晶表示パネルを、さらに備え、
前記導光板は、前記出光面と前記裏面との間を延びる側面を有し、
前記側面の一部が、前記発光体からの光を受ける少なくとも一つの入光面として機能し、
前記一対の偏光板のうちの前記面光源装置の側に配置された偏光板への法線方向から観察した場合、前記導光板の一つの入光面と、前記導光板の前記側面のうちの前記一つの入光面に対向する反対面と、を結ぶ方向は、前記一対の偏光板のうちの前記面光源装置の側に配置された偏光板の透過軸と直交している、請求項１０に記載の表示装置。
【発明の詳細な説明】
【技術分野】
【０００１】
本発明は、面状に光を発光する面光源装置に係り、とりわけ、光源をなす発光体からの光を高い利用効率で利用することができる面光源装置に関する。また、本発明は、この面光源装置を備えた表示装置に関する。
【背景技術】
【０００２】
面状に光を発光する装置が、例えば、液晶表示パネルを背面側から照明するための装置として、広く普及している（例えば、特許文献１）。面光源装置は、大別すると、光学部材の直下に光源を配置する直下型と、光学部材の側方に光源を配置するエッジライト型と、に分類される。エッジライト型の面光源装置は、直下型の面光源装置と比較して、面光源装置を薄型化させることができるといった利点を有している。
【０００３】
エッジライト型の面光源装置では、光源の側方に導光板が設けられており、光源からの光は、導光板の側面（入光面）から導光板内に入射する。導光板へ入射した光は、導光板の対向する一対の主面において反射を繰り返し、入光面に略直交する方向（導光方向）に導光板内を進んでいく。導光板内を進む光は、導光板から光学的な作用を受け、導光板内を進むにつれて少しずつ出光面から出射していくようにしむけられる。そして、導光板の出光面からの出射光量が、導光方向に沿って、大きくばらついてしまうことが防止されるようになっている。広く用いられている典型的な導光板として、特許文献１にも開示された光拡散性を有したインキがその裏面に所定のパターンで印刷された印刷導光板が挙げられる。印刷導光板では、発光体に対面する入光面から離間するにつれて、インキのパターン密度が高くなり、これにより、導光板の出光面からの出射光量を導光方向に沿って均一化するようになっている。
【０００４】
また特許文献１には、印刷導光板を用いた典型的な面光源装置が開示されている。この面光源装置では、図１２に示すように、導光板３０と、導光板３０の側方に配置された発光体２５と、導光板３０の出光側に設けられた光拡散シート１４５と、光拡散シート１４５の出光側に設けられた一枚または二枚のプリズムシート１５０，１６０と、を含んでいる。光拡散シートは、導光板からの光を拡散させて、導光板の裏面に形成された光拡散性インキのパターンを不可視化させることに寄与している。また、光拡散シートは、視野角を拡大させることに寄与するものの、その一方で、正面方向輝度を数％低下させることになる。
【０００５】
一方、プリズムシートは、光の進行方向を正面方向へ絞り込み正面方向輝度を向上させる集光シートとして機能する。プリズムシートとしては、光拡散シートでの光拡散に起因した正面方向輝度の低下を補うため、最も集光機能が強く発揮される断面直角二等辺三角形形状の単位プリズムを並列配置してなるものが広く普及している。このようなプリズムシートは、賦型率、賦型性、コスト等を考慮して、例えばＰＥＴフィルム等の樹脂製基材上に紫外線硬化型樹脂を賦型することにより、製造されている。
【先行技術文献】
【特許文献】
【０００６】
【特許文献１】特開平９−６１８１７号公報
【発明の概要】
【発明が解決しようとする課題】
【０００７】
ところで、環境問題が注目されている昨今では、省エネルギーに対する要望が強くなっている。面光源装置や表示装置の分野においても、消費電力を抑えることが強く求められている。すなわち、発光体の出力を上げることなく発光体で発光される光の利用効率を改善し、これにより、所望の光学特性を確保することができれば非常に好ましい。
【０００８】
本発明はこのような点を考慮してなされたものであり、光源をなす発光体からの光を高い利用効率で利用することができる面光源装置および表示装置を提供することを目的とする。
【課題を解決するための手段】
【０００９】
本発明による面光源装置は、
出光面および前記出光面に対向する裏面を有した導光板と、
前記導光板の側方に配置された発光体と、
前記導光板の前記出光面に対面して配置された熱可塑性樹脂を押し出し加工してなる第１レンズシートであって、シート状の第１本体部と、前記第１本体部の前記導光板に対面しない側の面上に並べて配列された線状の複数の第１単位レンズと、を有する第１レンズシートと、
前記第１レンズシートの前記導光板に対面しない側の面に対面して配置された熱可塑性樹脂を押し出し加工してなる第２レンズシートであって、シート状の第２本体部と、前記第２本体部の前記導光板に対面しない側の面上に並べて配列された線状の複数の第２単位レンズと、を有する第２レンズシートと、を備え、
前記導光板の前記裏面には、光拡散機能を有する光拡散要素が設けられており、
前記第２レンズシートの法線方向から観察した場合に、前記第１単位レンズの配列方向と前記第２単位レンズの配列方向とは交差しており、
前記第１レンズシートの法線方向と第１単位レンズの配列方向との両方に平行な前記第１レンズシートの断面において、前記第１単位レンズの外輪郭は曲線によって画成されており、前記第２レンズシートの法線方向と第２単位レンズの配列方向との両方に平行な前記第１レンズシートの断面において、前記第２単位レンズの外輪郭は曲線によって画成されている。
【００１０】
本発明による面光源装置において、前記第１レンズシートは、前記導光板に直接対面する位置に配置され、前記第２レンズシートは、前記第１レンズシートに直接対面する位置に配置されていてもよい。
【００１１】
本発明による面光源装置において、前記導光板の裏面には、前記光拡散要素がパターンを形成して設けられていてもよい。
【００１２】
本発明による面光源装置において、前記導光板は、前記出光面と前記裏面との間を延びる側面を有し、前記側面の一部が前記発光体からの光を受ける少なくとも一つの入光面として機能し、前記第２レンズシートの法線方向から観察した場合、前記導光板の一つの入光面と、前記導光板の前記側面のうちの前記一つの入光面に対向する反対面と、を結ぶ方向は、前記第１単位レンズの配列方向と平行であり、前記第２単位レンズの配列方向と直交していてもよい。
【００１３】
本発明による面光源装置において、前記導光板は、前記出光面と前記裏面との間を延びる側面を有し、前記側面の一部が前記発光体からの光を受ける少なくとも一つの入光面として機能し、前記第２レンズシートの法線方向から観察した場合、前記導光板の一つの入光面と、前記導光板の前記側面のうちの前記一つの入光面に対向する反対面と、を結ぶ方向は、前記第１単位レンズの配列方向と直交し、前記第２単位レンズの配列方向と平行であってもよい。
【００１４】
本発明による面光源装置が、前記第２レンズシートの前記第１レンズシートに対面しない側の面に対面して配置された反射型偏光分離シートをさらに備えていてもよい。このような本発明による面光源装置において、前記反射型偏光分離シートは、前記第２レンズシートに直接対面する位置に配置され、面光源装置の発光面を構成してもよい。
【００１５】
本発明による面光源装置が、前記第２レンズシートの前記第１レンズシートに対面しない側の面に対面して配置された、マイクロレンズを有するマイクロレンズシートまたは光拡散機能を有した光拡散シートをさらに備えてもよい。このような本発明による面光源装置において、前記マイクロレンズシートまたは前記光拡散シートは、前記第２レンズシートに直接対面する位置に配置され、面光源装置の発光面を構成してもよい。
【００１６】
本発明による表示装置は、上述した本発明による面光源装置のいずれかを備える。
【００１７】
本発明による表示装置が、前記面光源装置に対面する位置に配置され、一対の偏光板を有する液晶表示パネルを、さらに備え、
前記導光板は、前記出光面と前記裏面との間を延びる側面を有し、
前記側面の一部が、前記発光体からの光を受ける少なくとも一つの入光面として機能し、
前記一対の偏光板のうちの前記面光源装置の側に配置された偏光板への法線方向から観察した場合、前記導光板の一つの入光面と、前記導光板の前記側面のうちの前記一つの入光面に対向する反対面と、を結ぶ方向は、前記一対の偏光板のうちの前記面光源装置の側に配置された偏光板の透過軸と直交していてもよい。
【発明の効果】
【００１８】
本発明によれば、高い利用効率で光源からの光を利用することができる。これにより、例えば、導光板の裏面に形成された光拡散要素のパターンを不可視化することができるとともに、表示面上での正面方向輝度を向上させることができる。加えて、光源の発光体で発光された光の利用効率を向上させて、表示面上での正面方向輝度を維持しながら或いは向上させながら、視野角を拡大させることも可能となる。
【図面の簡単な説明】
【００１９】
【図１】図１は、本発明による一実施の形態を説明するための図であって、表示装置および面光源装置の概略構成を示す斜視図である。
【図２】図２は、面光源装置の作用を説明するための図であって、図１のＩＩ−ＩＩ線に沿った断面において面光源装置を示す断面図である。
【図３】図３は、図１の面光源装置に組み込まれたレンズシートを示す斜視図である。
【図４】図４は、図３のレンズシートの作用を説明するための図であって、図３のＩＶ−ＩＶ線に沿った断面においてレンズシートを示す図である。
【図５】図５は、出光面角度に応じた透過率の変化を示すグラフである。
【図６】図６は、図１に対応する図であって、表示装置および面光源装置の一変形例の概略構成を示す斜視図である。
【図７】図７は、実施例および比較例の光学特性を示す図である。
【図８】図８は、実施例１に係る表示装置の表示面上で測定された水平面内および垂直平面内での輝度の角度分布を示すグラフである。
【図９】図９は、実施例２に係る表示装置の表示面上で測定された水平面内および垂直平面内での輝度の角度分布を示すグラフである。
【図１０】図１０は、比較例１に係る表示装置の表示面上で測定された水平面内および垂直平面内での輝度の角度分布を示すグラフである。
【図１１】図１１は、比較例２に係る表示装置の表示面上で測定された水平面内および垂直平面内での輝度の角度分布を示すグラフである。
【図１２】図１２は、図１に対応する図であって、プリズムシートを含む従来の表示装置および面光源装置の典型的な一例の概略構成を示す斜視図である。
【図１３】図１３は、図４に対応する図であって、従来のプリズムシートを示す断面図である。
【発明を実施するための形態】
【００２０】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２１】
図１〜図６は本発明による一実施の形態を説明するための図である。このうち、図１は、液晶表示装置および面光源装置の概略構成を示す斜視図であり、図２は面光源装置の作用を説明するための断面図である。図３は面光源装置に含まれたレンズシートを示す斜視図であり、図４は主切断面においてレンズシートを示す断面図である。図５は出光面での屈折により正面方向へ出射し得る角度で単位レンズの出光面に入射する光についての各出光面角度での透過率を示すグラフである。
【００２２】
図１に示すように、表示装置１０は、液晶表示パネル１５と、液晶表示パネル１５の背面側に配置され液晶表示パネル１５を背面側から面状に照らす面光源装置２０と、を備えている。表示装置１０は、表示面１０ａを有している。表示装置１０は、面光源装置２０からの光の透過または遮断を画素毎に制御するシャッターとして機能し、表示面１０ａに画像を表示するように構成されている。
【００２３】
図示された液晶表示パネル１５は、出光側に配置された上偏光板１３と、入光側に配置された下偏光板１４と、上偏光板１３と下偏光板１４との間に配置された液晶セル１２と、を有している。偏光板１４，１３は、入射した光を直交する二つの直線偏光成分（Ｐ波およびＳ波）に分解し、一方の方向（透過軸と平行な方向）の直線偏光成分（例えば、Ｐ波）を透過させ、前記一方の方向に直交する他方の方向（吸収軸と平行な方向）の直線偏光成分（例えば、Ｓ波）を吸収する機能を有している。
【００２４】
液晶層１２には、一つの画素を形成する領域毎に、電界印加がなされ得るようになっている。そして、電界印加された液晶層１２の配向は変化するようになる。一例として、入光側に配置された下偏光板１４を透過した特定方向の偏光成分（例えば、Ｐ波）は、電界印加された液晶層１２を通過する際にその偏光方向を９０°回転させ、その一方で、電界印加されていない液晶層１２を通過する際にその偏光方向を維持する。そして、液晶層１２への電界印加の有無によって、下偏光板１４を透過した特定方向の偏光成分（例えば、Ｐ波）が、下偏光板１４の出光側に配置された上偏光板１３をさらに透過するか、あるいは、上偏光板１３で吸収されて遮断されるか、を制御することができる。
【００２５】
このようにして液晶パネル（液晶表示部）１５では、面光源装置２０からの光の透過または遮断を画素毎に制御し得るようになっている。なお、液晶表示パネル１５の詳細については、種々の公知文献（例えば、「フラットパネルディスプレイ大辞典（内田龍男、内池平樹監修）」２００１年工業調査会発行）に記載されており、ここではこれ以上の詳細な説明を省略する。
【００２６】
次に、面光源装置２０について説明する。面光源装置２０は、面状に光を発光する発光面２０ａを有し、液晶表示パネル１５を背面側から照明する装置である。図１に示すように、面光源装置２０は、エッジライト型の面光源装置として構成され、導光板３０と、導光板３０の側方に配置された光源２４ａ，２４ｂと、を有している。また、導光板３０の出光側には、第１レンズシート５０、第２レンズシート６０および反射型の偏光分離シート７０が設けられている。さらに、面光源装置２０は、導光板３０の第１レンズシート５０に対面する側とは反対となる側に設けられた反射シート２８も有している。第１レンズシート５０は、導光板３０に出光側から直面する位置に配置されている。第２レンズシート６０は、第１レンズシート５０に出光側から直面する位置に配置されている。反射型偏光分離シート７０は、第２レンズシート６０に出光側から直面する位置に配置されており、液晶表示パネル１５に直面する面光源装置２０の発光面（出光面）２０ａを形成している。
【００２７】
ところで、本明細書において、「出光側」とは、進行方向を折り返されることなく光源２４ａ，２４ｂをなす発光体２５から導光板３０やレンズシート５０，６０等を経て観察者へ向かう光の進行方向における下流側（観察者側、例えば図１〜図４における紙面の上側）のことであり、「入光側」とは、進行方向を折り返されることなく光源２４ａ，２４ｂをなす発光体２５から導光板３０やレンズシート５０，６０等を経て観察者へ向かう光の進行方向における上流側（光源側、例えば図３および４における紙面の下側）のことである。
【００２８】
また、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００２９】
さらに、本明細書において「シート面（板面、フィルム面）」とは、対象となるシート状の部材を全体的かつ大局的に見た場合において対象となるシート状部材の平面方向と一致する面のことを指す。そして、本実施の形態においては、導光板３０の板面、第１レンズシート５０のシート面、第２レンズシート６０のシート面、反射型偏光分離シート７０のシート面、反射シート２８のシート面、液晶表示パネル１５のパネル面、表示装置１０の表示面１０ａ、および、面光源装置２０の発光面２０ａは、互いに平行となっている。さらに、本明細書において「正面方向」とは、表示装置１０の表示面１０ａへの法線方向ｎｄであり、本実施の形態においては、導光板３０の板面への法線方向、第１レンズシート５０のシート面への法線方向、第２レンズシート６０のシート面への法線方向、面光源装置２０の発光面２０ａへの法線方向および導光板３０の出光面３１への法線方向等にも一致する（例えば、図２参照）。
【００３０】
さらに、本件明細書において用いる、形状や幾何学的条件を特定する用語、例えば、「平行」、「直交」、「三角形」等の用語は、厳密な意味に縛られることなく、同様の光学的機能を期待し得る程度の誤差を含めて解釈することとする。
【００３１】
次に、図１および図２を主に参照して、導光板３０についてさらに詳述する。図１および図２によく示されているように、導光板３０は、一対の平行な主面を有する平板状の部材として構成されている。導光板３０は、液晶表示パネル１５側の主面によって構成された出光面３１と、出光面３１に対向するもう一方の主面からなる裏面３２と、出光面３１および裏面３２の間を延びる側面と、を有している。そして、導光板３０の側面の一部分によって少なくとも一つの入光面が形成され、この入光面に対向して光源２４ａ，２４ｂの発光体２５が配置されている。また、側面の一部分によって一つの入光面３３に対向する反対面３４も形成され、当該一つの入光面３３から導光板３０に入射した光は、概ね、当該一つの入光面３３と、当該一つの入光面３３に対向する反対面３４と、を結ぶ第１方向（導光方向）に沿って導光板３０内を導光されるようになる。
【００３２】
なお、図示する例において、液晶表示装置１０の表示面１０ａ、面光源装置２０の発光面２０ａおよび導光板３０の出光面３１は、四角形形状に形成されている。この結果、第１レンズシート５０や第２レンズシート６０等の面光源装置２０を構成する他の構成部材も、全体的に、四角形板状の部材として構成されている。同様に、導光板３０は、全体的に、一対の主面（出光面３１および裏面３２）を有する四角形板状の部材として構成されており、一対の主面間に画成される側面は四つの面を含んでいる。そして、本実施の形態では、図１に示すように、側面のうちの第１方向に対向する二つの面が、入光面３３，３４をなしている。言い換えると、上述した一つの入光面が第１入光面３３として機能し、この一つの入光面に対向する反対面が第２入光面３４として機能するようになっている。図１および図２に示すように、第１入光面３３に対向して第１光源２４ａをなす発光体２５が設けられ、第２入光面３４に対向して第２光源２４ｂをなす発光体２５が設けられている。本実施の形態における導光板３０および面光源装置２０を構成するその他の構成部材は、導光方向（第１方向）における中心位置ＣＰを中心として、導光方向（第１方向）に対称的な構成となっている。
【００３３】
図２に示すように、導光板３０の裏面３２には、光を拡散させる機能を有した光拡散要素４０が設けられている。図２にも示されているように、導光板３０の側面をなす入光面３３，３４から導光板３０内に入射した光は、板状の導光板の一対の主面をなす出光面３１および裏面３２での反射を繰り返し、とりわけ、導光板３０の本体部をなす材料と導光板３０に隣接する空気との屈折率差に起因した全反射を繰り返して、入光面３３，３４から導光板３０の内部へ導光されていく。そして、導光板３０内を進む光が、裏面３２のうちの光拡散要素４０が形成されている領域に入射すると、当該光は光拡散要素４０によって進行方向を変化させられる。結果として、全反射臨界条件を満たさない条件で、導光板３０の出光面３１へ入射し得るようになり、導光板３０から出光面３１を介して出射するようになる。
【００３４】
すなわち、光拡散要素４０は、導光板３０の内部から光を取り出すための要素として機能する。したがって、光拡散要素４０の配置パターンを調節することによって、導光板３０からの出射光量の導光方向（第１方向）に沿った分布を制御することが可能となる。このため、光拡散要素４０は、発光面２０ａにおいて期待される光量分布を考慮して決定されたパターンを形成するようにして、導光板３０の裏面３２に設けられている。図２に示す例では、出射光量が低下する傾向の強い導光方向における中心位置ＣＰを含む領域に、光拡散要素４０が高密度で形成されている。
【００３５】
具体的な構成として、光拡散性粒子を含有したインクを樹脂製板材（導光板３０の本体部をなす部材）の一方の主面に所望のパターンで印刷することにより、光拡散要素４０が所望のパターンで裏面３２に形成された導光板３０を作製することができる。このような導光板３０は、印刷導光板と呼ばれ、インクを細かいドットとして印刷することにより、光拡散要素４０を所望の密度で分散させて導光板３０の裏面３２に形成することができる。
【００３６】
導光板３０の側方に配置された第１光源２４ａおよび第２光源２４ｂは、例えば、線状の冷陰極管等の蛍光灯や、点状のＬＥＤ（発光ダイオード）や白熱電球等の種々の態様で構成され得る。本実施の形態において、第１光源２４ａおよび第２光源２４ｂの各々は、対応する入光面３３，３４の長手方向に沿って、並べて配置された多数の点状発光体２５、具体的には、多数の発光ダイオード（ＬＥＤ）によって、構成されている。
【００３７】
反射シート２８は、光を反射する機能を有した部材である。導光板３０内を進む光は、出光面３１だけでなく、裏面３２を介して導光板３０から出射することもある。反射シート２８は、導光板３０の裏面３２から出射した光を反射して、再び導光板３０内に入射させるための部材である。すなわち、反射シート２８は、出光側に進まなくなった光を再び出光側へ向け、光源２４ａ，２４ｂからの光を有効利用するための部材である。反射シート２８は、白色の散乱反射シート、金属等の高い反射率を有する材料からなるシート、高い反射率を有する材料からなる薄膜（例えば金属薄膜）を表面層として含んだシート等から、構成され得る。
【００３８】
次に、図３および図４を主に参照して、第１レンズシート５０および第２レンズシート６０について説明する。図１に示すように、第１レンズシート５０および第２レンズシート６０は、それぞれ、レンチキュラーレンズシートとして構成され、並列配置された凸レンズを有している。すなわち、第１レンズシート５０は、シート状の第１本体部５１と、第１本体部５１の導光板３０に対面しない側の面（出光側面５１ａ）上に並べて配列された（並列配置された、リニア配列された）線状の複数の第１単位レンズ５５と、を有している。また、第２レンズシート６０は、シート状の第２本体部６１と、第２本体部６１の第１レンズシート５０に対面しない側の面（出光側面６１ａ）上に並べて配列された（並列配置された、リニア配列された）線状の複数の第２単位レンズ６５と、を有している。
【００３９】
なお、第１レンズシート５０および第２レンズシート６０は、面光源装置２０へ組み込まれる際の態様が異なっているが、同一のレンチキュラーレンズシートから構成されてもよいし、或いは、所望される光学特性に対応して設計等を変更された互いに異なるレンチキュラーレンズシートから構成されてもよい。以下において、「第１」および「第２」の用語を省略し且つ５０番台の符号と６０番台の符号の両方を用いた説明は、第１レンズシート５０および第２レンズシート６０の両方に当てはまる説明するとする。
【００４０】
レンズシート５０，６０は、主として、入光側から入射した光の進行方向を変化させて出光側から出射させ、正面方向（法線方向）ｎｄの輝度を集中的に向上させる機能（集光機能）を有した集光シートとして機能する。この集光機能は、単位レンズ５５，６５のレンズ面５５ａ，６５ａでの屈折に起因して発現される。
【００４１】
図３および図４に示すように、本体部５１，６１は、単位レンズ５５，６５を支持するシート状部材として機能する。本体部５１，６１は、一対の平行な主面を有する平板状の部材（部分）として構成されている。そして、本体部５１，６１の導光板３０側の面、つまり、本体部５１，６１の入光側面５１ｂ，６１ｂによって、レンズシート５０，６０の入光面５０ｂ，６０ｂが形成されている。図２および図４によく示されているように、本実施の形態において、本体部５１，６１の入光側面５１ｂ，６１ｂは、平坦（平ら）で平滑な面として形成されている。
【００４２】
なお、本明細書で用いる「平滑」とは、光学的な意味合いでの平滑を意味するものである。すなわち、ここでは、或る程度の割合の可視光が、レンズシート５０，６０の入光面５０ｂ，６０ｂ（本体部５１，６１の入光側面５１ｂ，６１ｂ）においてスネルの法則を満たしながら屈折するようになる程度を意味している。したがって、例えば、本体部５１，６１の入光側面５１ｂ，６１ｂ（レンズシート５０，６０の入光面５０ｂ，６０ｂ）の十点平均粗さＲｚ（ＪＩＳＢ０６０１）が最短の可視光波長（０．３８μｍ）以下となっていれば、十分、平滑に該当する。
【００４３】
次に、本体部５１，６１の出光側面５１ａ，６１ａ上に形成された単位レンズ５５，６５について説明する。図３および図４によく示されているように、複数の単位レンズ５５，６５は、本体部５１，６１の出光側面５１ａ，６１ａと平行なある方向に並べて、本体部５１，６１の出光側面５１ａ，６１ａ上に、配列されている。各単位レンズ５５，６５は、本体部５１，６１の出光側面５１ａ，６１ａ上を、その配列方向と交差する方向に線状に延びている。
【００４４】
とりわけ本実施の形態において、複数の単位レンズ５５，６５は、本体部５１，６１の出光側面５１ａ，６１ａ上に、その配列方向に沿って隙間無く並べて配列されている。したがって、レンズシート５０，６０の出光面５０ａ，６０ａは、単位レンズ５５，６５の表面（出光面）によってなされるレンズ面５５ａ，６５ａとして、形成されている。また、各単位レンズ５５，６５は、その配列方向に直交する方向に沿って、直線状に延びている。さらに、各単位レンズ５５，６５は、柱状に形成され、その長手方向に沿って同一の断面形状を有するようになっている。また、本実施の形態において、同一のレンズシート５０，６０に含まれた複数の単位レンズ５５，６５は、互いに同一に構成されている。
【００４５】
次に、主に図４を参照しながら、レンズシート５０，６０に含まれる単位レンズ５５，６５の断面形状についてさらに詳細に説明する。なお、図４は、レンズシート５０，６０の本体部５１，６１のシート面の法線方向ｎｄおよび単位レンズ５５，６５の配列方向の両方に平行な断面（以下において、単に「レンズシートの主切断面」とも呼ぶ）において、レンズシート５０，６０を示している。
【００４６】
図４に示すように、レンズシートの主切断面において、各単位レンズ５５，６５の外輪郭は曲線によって画成されている。また、本実施の形態においては、レンズシートの主切断面における各単位レンズ５５，６５の断面形状は、出光側に向けて先細りしていく形状となっている。つまり、レンズシートの主切断面において、本体部５１，６１のシート面と平行な単位レンズ５５，６５の幅は、本体部５１，６１の法線方向ｎｄに沿って本体部５１，６１から離間するにつれて小さくなっていく。
【００４７】
また、本実施の形態においては、レンズシートの主切断面における単位レンズ５５，６５の外輪郭は、本体部５１，６１の法線方向ｎｄと平行な軸を対称軸として、線対称となっている。これにより、レンズシート５０，６０の出光面５０ａ，６０ａにおける輝度は、単位レンズ５５，６５の配列方向に平行な面において、正面方向を中心として対称的な輝度の角度分布を有するようになる。
【００４８】
さらに、図４に示すように、単位レンズ５５，６５の外輪郭への接線ＴＬが主切断面において本体部５１，６１のシート面（本実施の形態においては、本体部５１，６１の出光側面５１ａ，６１ａと平行な面）に対してなす角度（「出光面角度」とも呼ぶ）θａは、接線ＴＬの単位レンズ５５，６５への接点ＴＰ（図４参照）が、本体部５１，６１の法線方向ｎｄに本体部５１，６１から最も離間した単位レンズ５５，６５の外輪郭（レンズ面、出光面）５５ａ，６５ａ上の頂部５５ｂ１，６５ｂ１から、本体部５１，６１の法線方向ｎｄにおいて本体部５１，６１に隣接する単位レンズ５５，６５の外輪郭（レンズ面、出光面）５５ａ，６５ａ上の両端部５５ｂ２，６５ｂ２へ向かうにつれて、大きくなっていく。
【００４９】
なおここでいう、出光面角度θａが「大きくなっていく」とは、出光面角度θａが常に大きく変化し続けていること（図４に示された本実施の形態における態様）だけでなく、少なくとも一部の領域において出光面角度θａが変化しない場合も含む概念である。すなわち、ここでいう、出光面角度θａが「大きくなっていく」とは、接点ＴＰが外輪郭（レンズ面、出光面）５５ａ，６５ａ上の頂部５５ｂ１，６５ｂ１から外輪郭（レンズ面、出光面）５５ａ，６５ａ上の端部５５ｂ２，６５ｂ２へ向かう際に、出光面角度θａが「小さくなることがない」ことを意味している。
【００５０】
さらに、全体的な形状として、レンズシートの主切断面における単位レンズ５５，６５の配列方向に沿った幅Ｗに対する、本体部５１，６１の出光側面６５ａから単位レンズ５５，６５の頂部５２までの法線方向ｎｄに沿った単位レンズ５５，６５の突出高さＨの比（Ｈ／Ｗ）が、０．２５以上０．８０以下となっていることが好ましい。このような形状によれば、単位レンズ５５，６５による集光機能が効果的に発揮され得る。
【００５１】
加えて、図４に示すように、単位レンズ５５，６５は、その焦点距離ＤＦがレンズシート５０，６０の総厚みＴＴよりも短くなるように、その主切断面における外輪郭が設計されていることが好ましい。このように設計されたレンズシート５０，６０では、単位レンズ５５，６５をその一方の側に形成されたレンズシート５０，６０の総厚みＴＴが、当該単位レンズ５５，６５の焦点ＦＰをその内部に含むように、決定されることになる。そして、このように設計された単位レンズ５５，６５によれば、後述するように、レンズシート５０，６０が、導光板３０裏面３１に形成された光拡散要素４０のパターンを不可視化する機能を、極めて効果的に発揮するようになる。
【００５２】
ここで、レンズシート５０，６０の総厚みＴＴとは、レンズシート５０，６０の入光面５０ｂ，６０ｂから出光面５０ａ，６０ａまでの厚みであり、本実施の形態では、レンズシート５０，６０の主切断面における、レンズシート５０，６０の入光面５０ｂ，６０ｂから単位レンズ５５，６５の頂部５５ｂ１，６５ｂ１までの、レンズシート５０，６０のシート面への法線方向に沿った、長さに相当する。
【００５３】
一方、図４から理解され得るように、単位レンズ５５，６５が正面方向へ向けて突出する凸レンズとして構成されている場合、仮に、光軸に沿った、本例では、レンズシート５０，６０のシート面への法線方向に沿った平行光束（図４に示された光路の逆を進む光束）が観察者側（出光側）から当該単位レンズ５５，６５へ入射した場合、当該平行光束は一箇所（焦点）に集光するようになる。そして、単位レンズ５０，６０の焦点距離ＤＦとは、光軸に沿った、本例では、レンズシート５０，６０のシート面への法線方向ｎｄに沿った単位レンズ５０，６０の頂部５５ｂ１，６５ｂ２から焦点ＦＰまでの長さのことを指す。なお、図４に示す例のように、収差によって、焦点ＦＰが一点に定まらないことがある。この場合には、レンズシートの主切断面において、一つの単位レンズ５５，６５に入射した平行光束がその後に通過するようになる範囲の幅（光束の断面積）が、最も狭くなる位置を焦点ＦＰとみなし、焦点距離ＤＦを導き出すこととする。
【００５４】
以上のような構成からなる単位レンズ５５，６５の具体例として、単位レンズ５５，６５の幅Ｗを２０μｍ以上２００μｍ以下とすることができる。また、レンズシート５０，６０のシート面への法線方向ｎｄに沿った本体部５１，６１の出光側面５１ａ，６１ａからの単位レンズ５５，６５の突出高さＨを１４μｍ以上１６０μｍ以下とすることができる。
【００５５】
以上のような構成からなるレンズシート５０，６０は、主切断面における外輪郭が曲線のみよって画成されており、賦型を困難にする形状、例えば角形状を含んでいない。つまり、レンズシート５０，６０は賦型性において優れた形状となっており、このため、このレンズシート５０，６０は、熱可塑性樹脂を加熱して押し出す押し出し加工（溶融押出法）によって、作製され得る。押し出し加工によって作製されるレンズシート５０，６０は、製造が容易であり材料費が安いといった利点がある。さらに、押し出し加工によって作製されるレンズシート５０，６０は、リタデーション（面内位相差）が小さい、さらに、透過光を大きくイエローシフト（黄色化）させることがないといった、表示装置用の光学シートとして極めて有用な利点も有している。
【００５６】
押し出し加工によるレンズシート５０，６０の作製に用いられる材料としては、種々の熱可塑性樹脂、とりわけ、表示装置に組み込まれる光学シート用の材料として広く使用され、優れた機械的特性、光学特性、安定性および加工性等を有するとともに安価に入手可能な材料、例えばアクリロニトリル等を用いることができる。また、他の熱可塑性樹脂としては、屈折率が高くリタデーションが低いポリカーボネートを、レンズシート５０，６０の作製に好適に用いることができる。
【００５７】
次に、第１レンズシート５０および第２レンズシート６０の配置について説明する。図１から理解することができるように、本実施の形態において、出光側に位置する第２レンズシート６０の法線方向ｎｄから観察した場合に、すなわち、正面方向から観察した場合に、第１レンズシート５０の第１単位レンズ５５の配列方向と第２レンズシート６０の第２単位レンズ６５の配列方向とが交差するように、第１レンズシート５０および第２レンズシート６０が面光源装置２０に組み込まれている。より厳密には、図示する例において、正面方向から観察した場合に、第１レンズシート５０の第１単位レンズ５５の配列方向と第２レンズシート６０の第２単位レンズ６５の配列方向とが直交するようになっている。そして、図１から理解され得るように、正面方向から観察した場合に、導光板３０による導光方向（第１方向）が、第１レンズシート５０の第１単位レンズ５５の配列方向と平行であるとともに第２レンズシート６０の第２単位レンズ６５の配列方向と直交するように、第１レンズシート５０および第２レンズシート６０が面光源装置２０に組み込まれている。
【００５８】
また、後述するように、レンズシート５０，６０は、出光面角度θａおよび低リタデーションに起因して、従来広く用いられている二軸延伸ポリエチレンテレフタレート（ＰＥＴ）製フィルム上に紫外線硬化型樹脂を賦型してなる、断面直角二等辺三角形形状の単位プリズムを有したプリズムシートと比較して、一方の偏光成分を選択的に透過させる偏光分離機能をより強く発揮することができる。詳しくは後述するように、出光側に配置された第２レンズシート６０による偏光分離機能を有効に利用する観点から、次のような第２レンズシート６０および液晶表示パネル１５の位置決めが有効である。
【００５９】
第２レンズシート６０の直線状に延びる第２単位レンズ６５の長手方向は、正面方向から観察した場合に、液晶表示パネル１５の下偏光板１４の透過軸と交差していることが好ましい。より好ましくは、第２レンズシート６０の第２単位レンズ６５の長手方向は、液晶表示パネル１５の下偏光板１４の透過軸に対して、表示装置１０の表示面１０ａと平行な面（第２レンズシート６０の第２本体部６１のシート面と平行な面）上で４５°より大きく１３５°より小さい角度で交差している。なおここでいう角度は、正面方向からの観察において第２単位レンズ６５の長手方向と下偏光板１４の透過軸とによってなされる角度のうちの、小さい方の角度、すなわち、１８０°以下の角度のことを意味している。図１に示された、本実施の形態においては、第２レンズシート６０の第２単位レンズ６５の長手方向は、液晶表示パネル１５の下偏光板１４の透過軸に対して直交し、第２レンズシート６０の第２単位レンズ６５の配列方向は、液晶表示パネル１５の下偏光板１４の透過軸と平行になっている。
【００６０】
次に、第２レンズシート６０の出光側に配置された反射型偏光分離シート７０について説明する。反射型偏光分離シート７０は、一方の直線偏光成分を透過させるとともに、その他の直線偏光成分を反射する機能を有した部材である。反射型偏光分離シート７０によれば、液晶表示パネル１５の下偏光板１４を透過し得る直線偏光成分の光を選択的に透過させることができる。なお、反射型偏光分離シート７０での反射によって光源側に戻された光は、その後の反射等によって、偏光状態を変化させて反射型偏光分離シート７０へ再度入射し得る。このような輝度の向上に役立ち得る反射型偏光分離シート７０として、米国３Ｍ社から入手可能な「ＤＢＥＦ」（登録商標）を用いることができる。また、「ＤＢＥＦ」以外にも、韓国Shinwha Intertek社から入手可能な高輝度偏光シート「ＷＲＰＳ」や、あるいは、ワイヤーグリッド偏光子等を、反射型偏光分離シート７０として用いることができる。なお、正面方向から観察した場合に、反射型偏光分離シート７０の透過軸と下偏光板１４の透過軸とが平行なるように、反射型偏光分離シート７０は液晶表示パネル１５に対して位置決めされている。
【００６１】
次に、以上のような構成からなる表示装置１０の作用について説明する。
【００６２】
まず、図２に示すように、光源２４ａ，２４ｂをなす発光体２５で発光された光は、入光面３３，３４を介し、導光板３０に入射する。図２に示すように、導光板３０へ入射した光は、導光板３０の出光面３１および裏面３２において、反射、とりわけ導光板３０をなす材料と空気との屈折率差に起因した全反射を繰り返し、導光板３０の一つの入光面と当該入光面に対向する反対面（本例では、他方の入光面）とを結ぶ第１方向（導光方向）へ進んでいく。
【００６３】
ただし、導光板３０の裏面３１には光拡散要素４０が設けられている。このため、図２に示すように、導光板３０内を進む光は、光拡散要素４０によって進行方向を不規則に変更され、全反射臨界角未満の入射角度で出光面３１および裏面３２に入射することもある。この場合、当該光は、導光板３０の出光面３１および裏面３２から、出射し得るようになる。出光面３１から出射した光は、導光板３０の出光側に配置された第１レンズシート５０へと向かう。一方、裏面３２から出射した光は、導光板３０の背面に配置された反射シート２８で反射され再び導光板３０内に入射して導光板３０内を進むことになる。
【００６４】
なお、光拡散要素４０は、導光板３０の出光面３１からの出射光量が導光方向に沿って所望の分布を持つように、典型的には、出射光量の導光方向に沿った分布が均一となるように設計されたパターンで、導光板３０の裏面３２に形成されている。
【００６５】
導光板３０の出光面３１から出射した光は、その後、第１レンズシート５０へ入射する。第１レンズシート５０を透過する光は、第１単位レンズ５５のレンズ面５５ａでの屈折によって、主として、その出射方向が正面方向となす角度（出射角度）が小さくなるように、進行方向を曲げられる。すなわち、第１レンズシート５０は、透過光に対して集光作用を及ぼす。第１レンズシート５０から出射した光は、その後、第２レンズシート６０へ入射し、同様に、第２単位レンズ６５の出光面６５ａでの屈折によって、主として、その出射方向が正面方向となす角度（出射角度）が小さくなるように、進行方向を曲げられる。すなわち、第２レンズシート６０も、透過光に対して集光作用を及ぼす。
【００６６】
なお、第１レンズシート５０によって及ぼされる集光作用は、主として、第１単位レンズ５５の配列方向に沿った光の成分であり、第２レンズシート６０によって及ぼされる集光作用は、主として、第２単位レンズ６５の配列方向に沿った光の成分である。そして、上述したように、本実施の形態において、第１単位レンズ５５の配列方向と第２単位レンズ６５の配列方向とは直交している。したがって、第２レンズシート６０での光学的作用によって、第１レンズシート５０で上昇されられた正面方向輝度を害すことなく、さらに、正面方向輝度を上昇させることができる。
【００６７】
第２レンズシート６０を出射した光は、反射型偏光分離シート７０へ入射する。反射型偏光分離シート７０は、入射光のうち、一方の偏光成分（例えばＰ波）を透過させ、その他の偏光成分（例えばＳ波）を反射する。反射型偏光分離シート７０を透過した光は液晶表示パネル１５に向かう。上述したように、反射型偏光分離シート７０の透過軸は、液晶表示パネル１５の下偏光板１４の透過軸に対して向きを揃えられているので、反射型偏光分離シート７０を透過した光は液晶表示パネル１５に入射し、画像の形成に有効に用いられる。一方、反射型偏光分離シート７０で反射された光は、その後の反射によって、偏光状態を変化させて反射型偏光分離シート７０へ再度入射して再利用され得る。
【００６８】
以上のようにして、液晶表示パネル１５へ入射した光によって画像が形成され、液晶表示装置１０の観察者が、この画像を観察することができるようになる。
【００６９】
ところで、本実施の形態では、図１２に示された従来の面光源装置１２０と異なり、導光板３０の出光側に光拡散シート１４５が設けられていない。このように光拡散シート１４５が省略されている場合には、導光板３０の裏面３２に形成された光拡散要素４０のパターン（光拡散性インキの印刷パターン）が視認されてしまい、表示される画像の画質を著しく劣化させてしまうことも考えられる。しかしながら、本実施の形態では、レンチキュラーレンズシートとして構成されたレンズシート５０，６０の優れた不可視化機能により、導光板３０の裏面３２に形成された光拡散要素４０のパターン（光拡散性インキの印刷パターン）視認されてしまうことを防止することができる。
【００７０】
なお、図１２示された従来の面光源装置１２０では、図１〜図４に示された本実施の形態のレンズシート５０，６０に代えて、第１プリズムシート１５０および第２プリズムシート１６０が配置されている。その一方で、図１２示された従来の表示装置１１０（面光源装置１２０）は、図１〜図４に示された本実施の形態の表示装置１０（面光源装置２０）と同一の導光板３０、反射シート２８、反射型偏光分離シート７０および液晶表示パネル１５を有している。図１２示された従来の面光源装置１２０に組み込まれた第１プリズムシート１５０および第２プリズムシート１６０は、シート状の本体部と、当該本体部の出光側面上に並列配置され、主切断面において直角二等辺三角形形状となっている多数の線状の単位プリズム１５５，１６５と、を有している。二枚のプリズムシート１５０，１６０は、同一の構成を有し、図１２に示されるように、単位プリズム１５５，１６５の配列方向が互いに直交するようにして、配置されている。
【００７１】
このプリズムシート１５０，１６０は、最も優れた集光機能を発揮する集光シートであって、最高の正面方向輝度を確保するために不可欠な集光シートであると考えられている。このようなプリズムシート１５０，１６０は、一般的に、二軸延伸されたポリエチレンテレフタレート（ＰＥＴ）製フィルム基材上に紫外線硬化型樹脂を賦型することによって、形成されている。プリズムシート１５０，１６０が期待した集光機能を発揮し得るようにするためには、単位プリズム１５５，１６５を高精度に賦型する必要があり、実際上、紫外線硬化型樹脂を用いて賦型することが不可避である。
【００７２】
図１３には、プリズムシート１５０，１６０の単位プリズム１５５，１６５での屈折によって正面方向へ出射するようになる光の光路が示されている。一方、既に説明したように、図４には、レンズシート５０，６０の単位レンズ５５，６５での屈折によって正面方向へ出射するようになる光の光路が示されている。上述したように、本実施の形態によるレンズシート５０，６０では、レンズシートの主切断面での単位レンズ５５，６５の外輪郭が曲線のみによって形成されている。そして、図４から理解され得るように、仮に正面方向に進む平行光束が単位レンズ５５，６５へレンズシート５０，６０の出光面５０ａ，６０ａの側から入射したとすると、当該平行光束（図４に示された光路の逆を進む光束）は、いったん単位レンズ５５，６５のレンズ面５５ａ，６５ａでの屈折によって、厳密な意味での焦点ＦＰが存在するか否かは別として、いったん収束し、その後拡散するようになる。言い換えると、当該平行光束の光路幅が、いったん狭くなりその後広がる。
【００７３】
逆に言えば、レンズシート５０，６０の出光面５０ａ，６０ａから正面方向へ出射する光は、レンズシート５０，６０の入光面５０ｂ，６０ｂへ種々の方向から入射した後に、いったんレンズシート５０，６０内の特定領域（焦点位置ＦＰおよびその近傍）に集められ、その後、レンズシート５０，６０から出射するようになる。このように、レンズシート５０，６０の出光面５０ａ，６０ａから正面方向へ出射する光が、いったん特定の狭い領域に集められることにより、正面方向およびその近傍の方向からは、導光板３０の裏面３２に形成された光拡散要素４０のパターン（光拡散性インキの印刷パターン）が視認され難くなる。すなわち、導光板３０の裏面３２に形成された光拡散要素４０のパターンは、レンズシート５０，６０によって、単に拡散されるのではなく、より効果的に不可視化される。
【００７４】
これに対して、図１３に示すように、断面が直角二等辺三角形形状である単位プリズム１５５，１６５を並列配置してなる従来のプリズムシート１５０，１６０では、単位プリズム１５５，１６５のプリズム面１５５ａ，１６５ａのうちの一方から正面方向へ出射する光束ＬＦａは、当該プリズムシート１５０，１６０の入光面１５０ｂ，１６０ｂへ平行光束として入射した光である。同様に、単位プリズム１５５，１６５のプリズム面１５５ａ，１６５ａのうちの他方から正面方向へ出射する光束ＬＦｂは、当該プリズムシート１５０，１６０の入光面１５０ｂ，１６０ｂへ平行光束として入射した光である。すなわち、従来のプリズムシート１５０，１６０によって、導光板３０の裏面３２に形成された光拡散要素４０のパターン（光拡散性インキの印刷パターン）の像を乱し、当該パターンをこの従来のプリズムシート１５０，１６０の出光面１５０ａ，１６０ａの側から不可視化することはできなかった。したがって、この従来のプリズムシート１５０，１６０を組み込んだ面光源装置では、導光板３０の裏面３２に形成された光拡散要素４０のパターン（光拡散性インキの印刷パターン）を不可視化するために光拡散シート１４５を配置する必要があった。
【００７５】
また、レンズシートの主切断面での外輪郭が曲線によって形成されている単位レンズ５５，６５を並列配置してなるレンズシート５０，６０を用いた場合、従来のプリズムシート１５０，１６０とは異なり、互いに平行な進行方向に進む光が、単位レンズ５５，６５への入射位置に依存して、異なる方向に出射していくことになる。これにより、輝度の角度分布を滑らかに変化させることができ且つ視野角を拡大させることもできる。
【００７６】
なお、以上のようなレンズシート５０，６０の不可視化機能を有効に発現させるためには、レンズシート５０，６０に含まれる単位レンズ５５，６５の外輪郭が、次のように設計されていることが好ましい。すなわち、当該レンズシート５０，６０の出光面５０ａ，６０ａへ正面方向から平行光束を入射させた場合に、一つの単位レンズ５５，６５のレンズ面５５ａ，６５ａを経てレンズシート５０，６０内へ入射した平行光束が、いったん収束した後に発散するようになり、且つ、収束する位置（焦点位置）がレンズシート５０，６０内に位置するように、レンズシート５０，６０が設計されている。言い換えると、図４に示すように、単位レンズ５５，６５は、その焦点距離ＤＦがレンズシート５０，６０の総厚みＴＴよりも短くなるように、その主切断面における外輪郭が設計されていることが好ましい。
【００７７】
なお、不可視化機能の観点からすれば、既に説明したように、一つの単位レンズ５５，６５のレンズ面５５ａ，６５ａを経てレンズシート５０，６０内へ入射した平行光束が、必ずしも、厳密な意味での一点に収束する必要はない。言い換えると、平行光束が収束する位置は、いわゆる焦点と呼ばれる厳密な点である必要はなく、シート状本体部５１，６１のシート面に沿った光束の幅が最も狭くなる部分についての、シート状本体部５１，６１のシート面への法線方向に沿った位置として特定されればよい。
【００７８】
加えて、本実施の形態によれば、後に説明する実施例によっても実証されているように、最も優れた集光機能を有するとされてきた従来のプリズムシート１５０，１６０、すなわち、断面が直角二等辺三角形形状である単位プリズム１５５，１６５を並列配置してなる従来のプリズムシート１５０，１６０を用いた場合と同程度以上の正面方向輝度を表示面１０ａ上で確保することができる。このような作用効果は、断面が直角二等辺三角形形状である単位プリズム１５５，１６５を並列配置してなる従来のプリズムシート１５０，１６０が、最も優れた集光機能を発揮する集光シートであって、最高の正面方向輝度を確保するために不可欠な集光シートであると考えられていたことからすれば、技術水準から予測される範囲を超えた顕著な作用効果といえる。以下、表示装置１０の表示面１０ａ上での優れた正面方向輝度が確保され得ることにいて、予想される第１〜第３の理由について説明する。
【００７９】
まず第１点の理由として、本実施の形態によれば、上述したように、レンズシート５０，６０と導光板３０との間に光拡散シート１４５（図１２参照）を設けることなく、従来のプリズムシート１５０，１６０に代えて設けたレンズシート５０，６０により、導光板３０の裏面３２に形成された光拡散要素４０のパターン（光拡散性インキの印刷パターン）を不可視化している。したがって、光拡散シート１４５で透過光が拡散されることに起因した数％程度の正面方向輝度の低下が引き起こされない。この点において、本実施の形態によれば、正面方向輝度を改善することが可能となる。
【００８０】
次に、第２点の理由として、従来のプリズムシート１５０，１６０に代えてレンズシート５０，６０を設けた面光源装置２０を用いた場合、液晶表示パネル１５でのホワイトバランスの調整に起因した輝度の大幅な低下を回避することができる。
【００８１】
最も優れた集光機能を有するとされてきた従来のプリズムシート１５０，１６０は、主切断面における断面形状が直角二等辺三角形となっている単位プリズム１５５，１６５を有している。そして、このような鋭い頂角を有した単位プリズム１５５，１６５は、通常、紫外線硬化型樹脂を用いた賦型により形成されている。逆に言えば、紫外線硬化型樹脂を用いた賦型でなければ、期待した集光機能を発現し得る程度の精度で、単位プリズム１５５，１６５を作製することができない。そして、プリズムシート１５０，１６０が紫外線硬化型樹脂を含んで作製されていると、当該プリズムシート１５０，１６０を介して観察される映像がイエローシフト（黄色化）する傾向がある。この傾向は、後述する実施例でも実証されているように、紫外線硬化型樹脂を用いて作製されたプリズムシート１５０，１６０の数量が増えるにつれて、強くなる。このようなイエローシフトに対処するため、従来のプリズムシート１５０，１６０を用いた表示装置１１０では、液晶表示パネル１５におけるホワイトバランスの調整が必要となっており、このホワイトバランスの調整によって表示面１１０ａ上での輝度を低下させていた。
【００８２】
一方、本実施の形態において、従来のプリズムシート１５０，１６０に代わる集光シートとして設けられたレンズシート５０，６０の単位レンズ５５，６５の外輪郭は、レンズシートの主切断面において、曲線のみによって画成されており、賦型を困難にする頂角等を含んでいないようにすることができる。このようなレンズシート５０，６０は、紫外線硬化型樹脂を用いた賦型に頼ることなく、熱可塑性樹脂を加熱して押し出すことによって得られる押し出し材として、構成することができる。そして、押し出し材からなるレンズシート５０，６０を介して表示される画像は、イエローシフトを来すことはない。
【００８３】
したがって、溶融押出法で得られた押し出し材からなるレンズシート５０，６０が集光シートとして組み込まれている面光源装置２０で発光される光に対しては、液晶表示パネル１５での積極的なホワイトバランスの調整が不要となり、当該面光源装置２０の発光面２０ａで発光された光のほぼすべてを画像の形成に有効に用いることができ、液晶表示パネル１５でのホワイトバランスの調整に起因した輝度の低下を来さない。すなわち、本実施の形態によれば、光源２４ａ，２４ｂをなす発光体２５で発光された光の利用効率を向上させて、正面方向輝度を改善することが可能となる。
【００８４】
次に、第３の理由として、断面が直角二等辺三角形形状である単位プリズム１５５，１６５を並列配置してなる従来のプリズムシート１５０，１６０と比較して、主切断面での外輪郭が曲線によって構成されている単位レンズ５５，６５を並列配置してなるレンズシート５０，６０は、偏光分離機能をより強く発揮することができる。したがって、液晶表示パネル１５の下偏光板１４に対してレンズシート５０，６０を適切に位置決めすることにより、光源２４ａ，２４ｂをなす発光体２５で発光された光の利用効率を向上させることができる。
【００８５】
一般に、界面への入射角（界面の法線と入射光とがなす角度）に依存して、当該界面における反射率、これにともなって当該界面における透過率が変化することが知られている（例えば、共立出版社発行の「屈折率（山口重雄著）」）。この際、直線偏光成分であるＰ波およびＳ波は、異なる透過率（反射率）を呈するようになる。
【００８６】
図５には、レンズシートの出光面で屈折して当該レンズシートから正面方向へ出射する光の透過率を、当該光が入射する出光面とレンズシートのシート面とによってなされる角度（出光面角度）θａを変化させながら、調査した結果が示されている。なお、入射角に応じた各偏光成分の透過率（反射率）の変動の挙動は、界面の両側における屈折率差にも依存する。ただし、本件発明者らが研究を重ねたところ、光学シートへの用途で広く用いられている安価な材料の屈折率の範囲（１．４５以上１．６０以下）内であれば、屈折率の相違が、正面方向への出射光の透過率の出光面角度に応じた変化挙動に大きな影響を与えない、つまり、レンズシート５０，６０をなす材料の屈折率が変化したとしても、正面方向への出射光の透過率の出光面角度θａに応じた変化挙動はほぼ同様となる、ことが確認された。
【００８７】
断面が直角二等辺三角形である単位プリズム１５５，１６５を並列配置してなるプリズムシート１５０，１６０では、出光面角度θａは４５°となる。図５からすると、この単位プリズム１５５，１６５で正面方向へ曲げられる光には、強い偏光分離機能が発揮されるとは言えない。一方、本実施の形態によれば、レンズシートの主切断面における単位レンズ５５，６５の外輪郭は曲線のみによって形成されている。したがって、単位レンズ５５，６５は種々の出光面角度θａを有する。また、多くの光が入射するようになる単位レンズ５５，６５のレンズ面５５ａ，６５ａ上の端部５５ｂ２，６５ｂ２の近傍となる領域での出光面角度θａは、広く普及された断面直角二等辺三角形形状となっている単位プリズム１５５，１６５の出光面角度θａ（４５°）よりも、大きくなる傾向があり、図５から理解され得るように偏光分離機能をより強く発揮することができる。
【００８８】
すなわち、本実施の形態によるレンズシート５０，６０によれば、断面が直角二等辺三角形である単位プリズム１５５，１６５を並列配置してなる従来のプリズムシート１５０，１６０と比較して、正面方向およびその近傍方向に進行方向を曲げられる光に対して、極めて有効に偏光分離機能を発揮することができる。より具体的には、レンズシート５０，６０から正面方向およびその近傍の方向へ出射する光は、当該レンズシート５０，６０の単位レンズ５５，６５の配列方向と平行な方向に振動する偏光成分を多く含み、当該レンズシート５０，６０の単位レンズ５５，６５の配列方向と直交する方向に振動する偏光成分を少なく含むようになる。
【００８９】
また、加えて、レンズシート５０，６０は熱可塑性樹脂を押し出し加工してなる押し出し材から構成されているため、そのリタデーションは低い。一方、多くの場合、従来のプリズムシート１５０，１６０には、リタデーションの高い二軸延伸ポリエチレンテレフタレート製フィルムが、紫外線硬化型樹脂を賦型するための基材として、用いられている。このため、従来のプリズムシート１５０，１６０は透過光の偏光状態を乱しやすく、この点からも、レンズシート５０，６０は、従来のプリズムシート１５０，１６０と比較して、より強い偏光分離能を発現し得る。
【００９０】
一方、液晶表示パネル１５の下偏光板１４および第２レンズシート６０の出光側に位置する反射型偏光分離シート７０は、一方の偏光成分（例えば、Ｐ波）のみを選択的に透過させ、他方の偏光成分（例えば、Ｓ波）を吸収する。したがって、第２レンズシート６０を液晶表示パネル１５（下偏光板１４）および反射型偏光分離シート７０に対して適切に位置決めしておくことにより、第２レンズシート６０が、反射型偏光分離シート７０を透過して更に液晶表示パネル１５に入射し得る偏光成分を選択的に透過させるようにすることができる。具体的には、正面方向からの観察において、第２レンズシート６０の第２単位レンズ６５の配列方向が、液晶表示パネル１５の下偏光板１４の透過軸、並びに、設けられている場合には反射型偏光分離シート７０の透過軸に対して、０°以上４５°より小さい角度で交差していることが好ましく、とりわけ、上述した実施の形態のように、第２単位レンズ６５の配列方向が、液晶表示パネル１５の下偏光板１４の透過軸、並びに、設けられている場合には反射型偏光分離シート７０の透過軸と平行になっていることがより好ましい。
【００９１】
この場合、第２レンズシート６０は、反射型偏光分離シート７０および下偏光板１４を透過し得る一方の直線偏光成分（例えばＰ波）をより高い透過率で選択的に透過させ、その一方で、反射型偏光分離シート７０および下偏光板１４を透過し得ない他方の直線偏光成分（例えばＳ波）をより高い反射率で選択的に反射するようになる。反射された光は、その後、反射を繰り返することによって、偏光状態を変えて第２レンズシート６０へ再度入射し、液晶表示パネル１５の照明に利用され得るようになる。この結果、従来のプリズムシート１５０，１６０と比較して偏光分離機能を有効に発揮し得るレンズシート５０，６０を有することから、表示装置１０の表示面１０ａ上での正面方向輝度を向上させることが可能となる。
【００９２】
以上のように本実施の形態によれば、導光板３０の裏面３２に形成された光拡散要素４０のパターン（光拡散性インキの印刷パターン）を不可視化することができるとともに、表示装置１０の表示面１０ａ上での正面方向輝度を向上させることができる。加えて、光源２４ａ，２４ｂをなす発光体２５で発光された光の利用効率を向上させることができるため、表示装置１０の表示面１０ａ上での正面方向輝度を維持しながら或いは正面方向輝度を向上させながら、同時に、視野角を拡大させることもできる。
【００９３】
また、本実施の形態によれば、光拡散シート１４５（図１２参照）を不要にすることができ、これにより、表示装置１０に組み込まれる部材（光学シート）の数量を減じることができ、表示装置１０の製造コストを直接的に低減することができる。また、表示装置１０あるいは面光源装置２０の組み立て時に必要となる光学シート類の位置決めといった煩雑な作業を軽減することが可能となり、この点からも表示装置１０の製造コストを低減することができる。さらに、表示装置１０に組み込まれる部材（光学シート）を省くことにより、表示装置１０の薄型化も可能となる。
【００９４】
なお、上述した実施の形態に対して様々な変更を加えることが可能である。以下、図面を参照しながら、変形の一例について説明する。以下の説明で用いる図面では、上述した実施の形態における対応する部分に対して用いた符号と同一の符号を用いており、重複する説明を省略する。
【００９５】
例えば、上述した実施の形態における第１レンズシート５０および第２レンズシート６０の配置を変更してもよい。上述した特許文献１としての特開平９−６１８１７号公報にも開示されているように、導光板３０の出光面３１から出射する光は完全な無偏光状態とはなっておらず、導光方向に直交する方向の成分、すなわち、第１方向と直交する第２方向に振動する直線偏光成分が、導光板３０の出光面３１からの出射光により多く含まれている。したがって、導光板３０の出光面３１に直接対面する第１レンズシート５０の偏光分離機能が、第２方向に振動する直線偏光成分をより選択的に透過させるように、第１レンズシート５０が導光板３０に対向して配置されていることも有効である。
【００９６】
具体的には、第１レンズシート５０の直線状に延びる第１単位レンズ５５の配列方向が、正面方向から観察した場合に、導光板３０の一つの入光面３３とその反対面３４とを結ぶ第１方向（導光方向）と交差していることが好ましい。より好ましくは、第１レンズシート５０の第１単位レンズ５５の配列方向が、導光板３０による導光方向（第１方向）に対して、導光板３０の出光面３１と平行な面（第１レンズシート５０の第１本体部５１のシート面と平行な面）上で４５°より大きく１３５°より小さい角度で交差している。なおここでいう角度は、正面方向からの観察において第１単位レンズ５５の配列方向と導光板による導光方向（第１方向）とによってなされる角度のうちの、小さい方の角度、すなわち、１８０°以下の角度のことを意味している。
【００９７】
ところで、図６に示された例では、第１レンズシート５０の第１単位レンズ５５の配列方向は、導光板３０による導光方向（第１方向）と直交しており、第２レンズシート６０の第２単位レンズ６５の配列方向は、第１レンズシート５０の第１単位レンズ５５の配列方向と直交している。後述する実施例で実証されているように、図６に示された表示装置１０の表示面１０ａでの正面方向輝度は、図１２に示された従来の表示装置１１０の表示面１１０ａでの正面方向輝度と同程度となった。
【００９８】
また、上述した実施の形態では、反射型偏光分離シート７０が、第２レンズシート６０の出光側に配置され、面光源装置２０の発光面２０ａを構成する例を示したが、これに限られない。反射型偏光分離シート７０を省略してもよいし、反射型偏光分離シート７０に代えて、マイクロレンズを有するマイクロレンズシートまたは光拡散機能を有した光拡散シートを面光源装置２０に組み込むようにしてもよい。さらに、反射型偏光分離シート７０が、第２レンズシート６０に出光側から直接対面する例を示したが、これに限られず、反射型偏光分離シート７０と第２レンズシート６０との間に、マイクロレンズシートや光拡散シートが配置されてもよい。
【００９９】
さらに、上述した実施の形態において、レンズシート５０，６０の単位レンズ５５，６５が互いに隣接して配置されている例を示したが、これに限られない。例えば、隣り合う二つの単位レンズ５５，６５の間に平坦部が形成されていてもよいし、隣り合う二つの単位レンズ５５，６５の間に凹部（溝）が形成されていてもよい。
【０１００】
さらに、レンズシート５０，６０の単位レンズ５５，６５の図示した断面形状は、例示に過ぎず、種々の変更が可能である。さらに、上述した実施の形態において、レンズシート５０，６０の単位レンズ５５，６５がすべて同一の構成を有する例を示したが、これに限られない。一例として、一枚のレンズシート５０，６０内に異なる形状を有した単位レンズが含まれていてもよい。
【０１０１】
さらに、導光板３０の裏面３２に設けられた光拡散要素４０が、光拡散性インキを印刷することによって形成された要素とする例を示したがこれに限られない。
【０１０２】
さらに、上述した実施の形態において、導光板３０の側面のうちの対向する二つの面３３，３４が入光面を構成する例を示したが、これに限られない。導光板３０の側面のうちの一つの面３３のみが入光面として機能するようにしてもよい。
【０１０３】
さらに、上述した実施の形態において、光源２４ａ，２４ｂが、導光板３０の入光面３３，３４の長手方向（第２方向）に沿って並べて配置された複数の点状発光体（ＬＥＤ）２５から構成される例を示したが、これに限られず、エッジライト型の面光源装置に用いられ得る種々の光源、例えば、導光板３０の入光面３３，３４の長手方向と平行に延びるように配置された冷陰極管を発光体として、光源２４ａ，２４ｂが構成されてもよい。
【０１０４】
なお、以上において、上述した実施の形態に対するいくつかの変形例を説明してきたが、当然に、複数の変形例を適宜組み合わせて適用することも可能である。
【実施例】
【０１０５】
以下、実施例を用いて本発明をより詳細に説明するが、本発明はこの実施例に限定されるものではない。
【０１０６】
実施例１に係る表示装置、実施例２に係る表示装置、比較例１に係る表示装置および比較例２に係る表示装置を実際に用意し、表示面上での正面方向輝度、視野角特性および輝度特性等を評価（測定）した。以下において、まず、各表示装置の構成を説明し、その後、評価方法および評価結果を説明する。
【０１０７】
＜実施例１＞
比較例１に係る表示装置は、図１に示された構成とした。すなわち、導光板と、導光板の側方に配置された光源と、導光板の出光側に順に配置された第１レンズシート、第２レンズシートおよび反射型偏光分離シートとから、実施例１に係る表示装置を構成した。第１レンズシートおよび第２レンズシート以外の部材は、市販されている液晶表示装置に組み込まれていた構成部材を使用した。光源は、導光板の一対の入光面にそれぞれ対向して配置した。導光板は、いわゆる印刷導光板であって、白色ドットが所定のパターンで裏面に印刷されている導光板とした。各光源は、線状に並べて配置されたＬＥＤとした。反射型偏光分離シートは、米国３Ｍ社製の「ＤＢＥＦ」（登録商標）とした。
【０１０８】
第１レンズシートおよび第２レンズシートは、屈折率１．５９のポリカーボネートを押し出して形成された押し出し材とした。第１レンズシートおよび第２レンズシートは、シート状の本体部と、本体部の出光側面上に隙間無く並列配置された凸レンズ状の単位レンズと、をそれぞれ有するようにした。また、第１レンズシートおよび第２レンズシートは互いに同一の構成（形状および寸法）とした。第１レンズシートおよび第２レンズシートの各寸法は、本体部の厚み：３００μｍ、単位レンズの幅Ｗ（図４参照）：６４μｍ、単位レンズの高さＨ（図４参照）：２７μｍ、単位レンズのレンズ面の端部における出光面角度θａ：６０°とした。
【０１０９】
各構成部材を表示装置へ組み込む際の向きは次のように決定した。導光板の導光方向（図１における第１方向）が、第１レンズシートの第１単位レンズの配列方向と平行となり、第２レンズシートの第２単位レンズの配列方向と直交し、反射型偏光分離シートの透過軸と直交し、液晶表示パネルの下偏光板の透過軸と直交するようにした。
【０１１０】
＜実施例２＞
実施例２に係る表示装置は、図６に示された構成とした。すなわち、実施例２に係る表示装置は、第１レンズシートの向きを９０°回転させた点および第２レンズシートの向きを９０°回転させた点において実施例１に係る表示装置と異なるようにし、その他において実施例１に係る表示装置と同一とした。したがって、実施例２に係る表示装置に組み込まれた部材は、実施例１に係る表示装置に組み込まれた部材と同一とした。結果として、実施例２に係る表示装置において、導光板の導光方向（図６における第１方向）が、第１レンズシートの第１単位レンズの配列方向と直交し、第２レンズシートの第２単位レンズの配列方向と平行となり、反射型偏光分離シートの透過軸と直交し、液晶表示パネルの下偏光板の透過軸と直交するようにした。
【０１１１】
＜比較例１＞
比較例１に係る表示装置は、図１２に示された構成とした。すなわち、導光板と、導光板の側方に配置された光源と、導光板の出光側に順に配置された光拡散シート、第１プリズムシート、第２プリズムシートおよび反射型偏光分離シートとから、比較例１に係る表示装置を構成した。導光板、光源および反射型分離シートは、実施例１で用いた部材をそれぞれ流用した。光拡散シートは、市販されている液晶表示装置に組み込まれていたヘイズ値８８％の光拡散シートとした。
【０１１２】
第１プリズムシートおよび第２プリズムシートは、厚みが２５０μｍである二軸延伸ＰＥＴ製フィルム上に、屈折率１．５６の紫外線硬化型樹脂（ＪＳＲ社製Ｚ９０１４）を賦型することにより作製した。第１プリズムシートおよび第２プリズムシートは、図１３に示すように、シート状の本体部と、本体部の出光側面上に隙間無く並列配置された断面直角二等辺三角形形状の単位プリズムと、をそれぞれ有するようにした。また、第１プリズムシートおよび第２プリズムシートは互いに同一の構成（形状および寸法）とした。第１プリズムシートおよび第２プリズムシートの各寸法は、本体部の厚み：２９０μｍ、単位プリズムの幅Ｗｐ（図１３参照）：５０μｍ、単位プリズムの高さＨｐ（図１３参照）：２４μｍとした。
【０１１３】
各構成部材を表示装置へ組み込む際の向きは次のように決定した。導光板の導光方向（図１における第１方向）が、第１プリズムシートの第１単位プリズムの配列方向と直交し、第２プリズムシートの第２単位プリズムの配列方向と平行となり、反射型偏光分離シートの透過軸と直交し、液晶表示パネルの下偏光板の透過軸と直交するようにした。
【０１１４】
＜比較例２＞
比較例２に係る表示装置は、図１２に示された比較例１に係る表示装置から、第１プリズムシートを削除することによって作製した。結果として、比較例２に係る表示装置は、導光板と、導光板の側方に配置された光源と、導光板の出光側に順に配置された光拡散シート、プリズムシートおよび反射型偏光分離シートと、から構成されるようにした。また、比較例２に係る表示装置に組み込まれた部材は、比較例１に係る表示装置に組み込まれた部材と同一のものとした。結果として、比較例２に係る表示装置では、導光板の導光方向（図１における第１方向）が、プリズムシートの単位プリズムの配列方向と平行となり、反射型偏光分離シートの透過軸と直交し、液晶表示パネルの下偏光板の透過軸と直交するようになった。
【０１１５】
＜評価方法および評価結果＞
（正面方向輝度比）
まず、各例の表示装置について、液晶表示パネルで全面白を表示した状態で、表示面上での正面方向輝度を測定した。次に、各例から液晶表示パネルを取り除き、面光源装置の発光面上での正面方向輝度を測定した。測定には、ミノルタ製のＢＭ−７を用いた。ところで、表示面上での正面方向輝度は、液晶表示パネルでホワイトバランスを調整した状態にて行っている。各例に係る表示装置の正面方向輝度の測定結果を、比較例１の測定結果を基準とした比として、図７の輝度比の欄に示している。表示装置の表示面上での正面方向輝度は、実施例１および実施例２において、比較例２を大きく上回り、比較例１と比較しても同程度以上となった。その一方で、面光源装置の発光面上での正面方向輝度については、実施例１および実施例２で、比較例１を大きく下回った。
【０１１６】
なお、実施例１、比較例１および比較例２について、液晶表示パネルを取り除いた状態で面光源装置の発光面上での色度を測定した。測定には、コニカミノルタ製のＣＳ−１０００を用いた。測定結果を、比較例１での測定結果に対する差（色度差）として、図７における色度差の欄に示す。比較例２の色度は、実施例１の色度からずれており、比較例１の色度は、実施例１の色度から更に大きくずれていた。
【０１１７】
（輝度の角度分布および視野角）
各例の表示装置について、液晶表示パネルで全面白を表示した状態で、測定角度（測定方向）を変化させながら表示面上での輝度を測定した。測定には、ミノルタ製のＢＭ−７を用いた。結果を、図７〜図１１に示す。
【０１１８】
図７の視野角プロファイルの欄に示された円状のグラフにおいては、各面光源装置の正面方向輝度に対する輝度の割合として各方向における輝度の角度分布が示されている。例えば、円状グラフにおける「左」と「右」とを結ぶ方向における輝度の分布は、水平面（導光板における導光方向と直交する方向（第２方向）および表示面の法線方向の両方に平行な面）内の各測定方向において測定された輝度の角度分布を示しており、同様に、円状グラフにおける「上」と「下」とを結ぶ方向における輝度の分布は、鉛直面（導光板における導光方向（第１方向）および表示面の法線方向の両方に平行な面）内の各測定方向において測定された輝度の角度分布を示している。また、円状グラフの中心が正面方向で測定された輝度を表し、円状グラフの中心から半径方向へ離間するにしたがって、より大きな測定角度（輝度を測定する方向が正面方向に対してなす角度）で測定された輝度の値（正面方向に対する割合）を示している。また、図７の円状グラフにおける斜めクロス線でハッチされた領域が正面方向の７５％以上の輝度が測定された角度域（測定方向の領域）であり、図７の円状グラフにおける横線でハッチされた領域が正面方向の５０％以上の輝度が測定された角度域（測定方向の領域）であり、図７の円状グラフにおける梨地処理された領域が正面方向の２５％以上の輝度が測定された角度域（測定方向の領域）である。
【０１１９】
また、図７の視野角の欄における「αＶ」の欄には、鉛直面（導光板における導光方向（第１方向）および表示面の法線方向の両方に平行な面）内の各方向から測定した際の輝度の測定値が正面方向輝度の半分の値となった測定角度（鉛直方向半値角）を示している。一方、図７の視野角の欄における「αＨ」の欄には、水平面（導光板における導光方向と直交する方向（第２方向）および表示面の法線方向の両方に平行な面）内の各方向から測定した際の輝度の測定値が正面方向輝度の半分の値となった測定角度（水平方向半値角）を示している。同様に、図７の視野角の欄における「βＶ」の欄には、鉛直面内の各方向から測定した際の輝度の測定値が正面方向輝度の三分の一の値となった測定角度を示し、図７の視野角の欄における「βＨ」の欄には、水平面内の各方向から測定した際の輝度の測定値が正面方向輝度の三分の一の値となった測定角度を示している。
【０１２０】
加えて、図８に、実施例１に係る表示装置の表示面上で測定された鉛直面内での輝度の角度分布「Ｖ」および水平面内での輝度の角度分布「Ｈ」を示し、図９に、実施例２に係る表示装置の表示面上で測定された鉛直面内での輝度の角度分布「Ｖ」および水平面内での輝度の角度分布「Ｈ」を示している。同様に、図１０に、比較例１に係る表示装置の表示面上で測定された鉛直面内での輝度の角度分布「Ｖ」および水平面内での輝度の角度分布「Ｈ」を示し、図１１に、比較例２に係る表示装置の表示面上で測定された鉛直面内での輝度の角度分布「Ｖ」および水平面内での輝度の角度分布「Ｈ」を示している。
【０１２１】
実施例１および実施例２に係る表示装置では、正面方向輝度が略同等である比較例１に係る表示装置と比較して、極めて広い視野角が確保されていた。
【０１２２】
（光拡散要素のパターン）
また、各例に係る表示装置について、印刷導光板の裏面に形成された白色ドットのパターン（光拡散要素のパターン）が視認され得るか否かを観察した。すべての表示装置について、白色ドットのパターン（光拡散要素のパターン）は視認されなかった。
【符号の説明】
【０１２３】
１０  表示装置
１０ａ  表示面
１２  液晶層
１３  偏光板（上偏光板）
１４  偏光板（下偏光板）
１５  液晶表示パネル
２０  面光源装置
２０ａ  発光面
２４ａ，２４ｂ  光源
２５  発光体
２８  反射シート
３０  導光板
３１  出光面
３２  裏面
３３  入光面（第１入光面）
３４  反対面（第２入光面）
４０  光拡散要素
５０  レンズシート（第１レンズシート）
５１  本体部（第１本体部）
５５  単位レンズ（第１単位レンズ）
６０  レンズシート（第２レンズシート）
６１  本体部（第２本体部）
６５  単位レンズ（第２単位レンズ）
【図１】
2012169130.tif 000003
【図２】
2012169130.tif 000004
【図３】
2012169130.tif 000005
【図４】
2012169130.tif 000006
【図５】
2012169130.tif 000007
【図６】
2012169130.tif 000008
【図７】
2012169130.tif 000009
【図８】
2012169130.tif 000010
【図９】
2012169130.tif 000011
【図１０】
2012169130.tif 000012
【図１１】
2012169130.tif 000013
【図１２】
2012169130.tif 000014
【図１３】
2012169130.tif 000015